(57)【要約】【課題】必要とするログ情報だけをフィルタリングして印刷することで記録物としての有用性を大きく向上させるとともに、限られている印刷メディア、用紙等の補充回数を減少させる。【解決手段】ログ印刷フィルタ装置２０は、イベント情報を受信する受信部２３と、受信したイベント情報を保存するデータバッファ部２４と、ログ印刷フィルタ条件を取得するログ印刷フィルタ条件取得部２５と、データバッファ部２５に保存されたイベント情報と取得したログ印刷フィルタ条件とを比較し、所定の論理演算処理を行う比較演算部２６と、演算処理結果に基づいてログ印刷データを整形するログ印刷データ整形部２７と、整形したログ印刷データを送信する送信部２８と、を備える。【選択図】図８
2015033148.tif 000002
【特許請求の範囲】
【請求項１】
イベント情報を受信する受信部と、
受信した前記イベント情報を保存するデータバッファ部と、
ログ印刷フィルタ条件を取得するログ印刷フィルタ条件取得部と、
前記データバッファ部に保存された前記イベント情報と取得した前記ログ印刷フィルタ条件とを比較し、所定の論理演算処理を行う比較演算部と、
前記演算処理結果に基づいてログ印刷データを整形するログ印刷データ整形部と、
整形した前記ログ印刷データを送信する送信部と、
を備えるログ印刷フィルタ装置。
【請求項２】
前記受信部の機能と前記送信部の機能を併せて受送信部とした請求項１記載のログ印刷フィルタ装置。
【請求項３】
イベント情報を受信する受信部と、
受信した前記イベント情報を保存するデータバッファ部と、
ログ印刷フィルタ条件を取得するログ印刷フィルタ条件取得部と、
前記データバッファ部に保存された前記イベント情報と取得した前記ログ印刷フィルタ条件とを比較し、所定の論理演算処理を行う比較演算部と、
前記演算処理結果に基づいてログ印刷データを整形するログ印刷データ整形部と、
整形した前記ログ印刷データをログ・プリンタへ送信する送信部と、
を備えるログ印刷機能部を実装する制御装置。
【請求項４】
イベント情報を受信する受信部と、
受信した前記イベント情報を保存するデータバッファ部と、
ログ印刷フィルタ条件を取得するログ印刷フィルタ条件取得部と、
前記データバッファ部に保存された前記イベント情報と取得した前記ログ印刷フィルタ条件とを比較し、所定の論理演算処理を行う比較演算部と、
前記演算処理結果に基づいてログ印刷データを整形するログ印刷データ整形部と、
整形した前記ログ印刷データの印刷指令を発する指令部と、
を備えるログ印刷機能部を実装するログ・プリンタ。
【請求項５】
監視する電力系統に関する情報を入手するＩＥＤがネットワークを介してオペレータ・ワークステーション、制御装置及びログ・プリンタと接続され、前記オペレータ・ワークステーションは前記ＩＥＤに対する制御指令を入力して前記制御装置へ送信し、該制御装置は前記制御指令を前記ネットワークを介して前記ＩＥＤへ送信し、前記ログ・プリンタは監視対象に関する情報を印刷する変電所監視制御システムであって、
前記制御装置と前記ログ・プリンタの間の前記ネットワークに、請求項１又は２記載のログ印刷フィルタ装置を設置した変電所監視制御システム。
【請求項６】
監視する電力系統に関する情報を入手するＩＥＤがネットワークを介してオペレータ・ワークステーション、制御装置及びログ・プリンタと接続され、前記オペレータ・ワークステーションは前記ＩＥＤに対する制御指令を入力して前記制御装置へ送信し、該制御装置は前記制御指令を前記ネットワークを介して前記ＩＥＤへ送信し、前記ログ・プリンタは監視対象に関する情報を印刷する変電所監視制御システムであって、
前記制御装置は、請求項３記載のログ印刷機能部を実装する制御装置である変電所監視制御システム。
【請求項７】
監視する電力系統に関する情報を入手するＩＥＤがネットワークを介してオペレータ・ワークステーション、制御装置及びログ・プリンタと接続され、前記オペレータ・ワークステーションは前記ＩＥＤに対する制御指令を入力して前記制御装置へ送信し、該制御装置は前記制御指令を前記ネットワークを介して前記ＩＥＤへ送信し、前記ログ・プリンタは監視対象に関する情報を印刷する変電所監視制御システムであって、
前記ログ・プリンタは、請求項４記載のログ印刷機能部を実装するログ・プリンタである変電所監視制御システム。
【発明の詳細な説明】
【技術分野】
【０００１】
本発明の実施形態は、必要とするログ情報だけをフィルタリングして印刷することができるログ印刷フィルタ装置、制御装置、ログ・プリンタ及び監視制御システムに関する。
【背景技術】
【０００２】
電力系統において、変電所は電力の供給、品質、効率的運用に重用な役割を担っている。近年、ディジタル技術の発展に伴い、変電所の監視、制御を実施する変電所自動化システムもディジタル化が進み、それに伴いシステムを構成する各装置もネットワークで結合される構成が一般的となってきている。
【０００３】
図２１に、従来の変電所監視制御システムの構成を示す。
この変電所監視制御システムは、ＧＰＳクロック１１、オペレータ・ワークステーション１２、ログ・プリンタ１３’、制御装置１４’及びＩＥＤ(Intelligent Electronics Device) ２１ａ，２１ｂ・・・２１ｎ、２２ａ，２２ｂ・・・２２ｎを備えており、ＥＳＷ（Ethernet Switch）１５〜１７及び通信メディア１８を介して相互にデータ通信が行われるようになっている。
【０００４】
このような変電所監視システムにおいては、まず、監視する電力系統の電圧、交流、機器状態等がＩＥＤ２１ａ，２１ｂ・・・２１ｎ、２２ａ，２２ｂ・・・２２ｎに取り込まれ、電力系統データに変化があったときにＩＥＤ２１ａ，２１ｂ・・・２１ｎ、２２ａ，２２ｂ・・・２２ｎが電力系統の情報を制御装置１４’に送信する。送信した電力系統の情報は、制御装置１４’にて受信して保存される。その後、監視する電力系統情報はオペレータ・ワークステーション１２へ送信され、ＨＭＩ画面１２ａに表示される。
【０００５】
また、電力系統機器、ＩＥＤ２１ａ，２１ｂ・・・２１ｎ、２２ａ，２２ｂ・・・２２ｎ等を制御する場合、操作員がオペレータ・ワークステーション１２から制御指令を入力して制御装置１４’に制御指令を送信する。制御装置１４’では、受信した制御指令に関する事項（制御権、制御対象状態、制御不可等）を確認した上で、ＩＥＤ２１ａ，２１ｂ・・・２１ｎ、２２ａ，２２ｂ・・・２２ｎに制御指令を送信する。ＩＥＤ２１ａ，２１ｂ・・・２１ｎ、２２ａ，２２ｂ・・・２２ｎでは、受信した制御指令に従って制御を行い、制御の成功失敗の結果を制御装置１４’へ返信する。監視対象の状態変化、または制御操作、変電所設備の動作等の情報は、監視制御システムのイベントとして検出される。
【０００６】
図２２に示すように、オペレータ・ワークステーション１２のＨＭＩ画面１２ａには、発生したイベントの全てがイベントリスト画面２９として表示される。さらに、発生したイベントは、変電所の物理的な記録物としてログ・プリンタ１３’にも印刷される。
【０００７】
図２３に、従来の変電所監視制御システムのログ印刷結果の一例を示す。
ログ印刷用紙１３ａ’に印刷される情報の内容は、イベントレベル３１、試験最中マーク有無３２、品質マーク３３、タイムスタンプ３４、電圧レベル３５、回線名３６、イベントテキスト３７、状態３８である。
【０００８】
このシステムにおいては、発生した各イベント情報を全て直接ログ・プリンタ１３’へ出力するため、ログ印刷用紙１３ａ’に印刷されるイベント内容は、図２２に示すイベントリスト画面２９の内容と同じになる。
【０００９】
このように、前記の印刷物はログ・プリンタ１３’に全てのログ印刷を行ったものであるため、エビデンス、補助資料等として使用する際には、大量の印刷物の中から所望の情報を探し出す必要があった。
【先行技術文献】
【特許文献】
【００１０】
【特許文献１】特開２０１２−２９５３１号公報
【発明の概要】
【発明が解決しようとする課題】
【００１１】
本発明の実施形態は、必要とするログ情報だけをフィルタリングして印刷することで記録物としての有用性を大きく向上させるとともに、限られている印刷メディア、用紙等の補充回数を減少させることができるログ印刷フィルタ装置、制御装置、ログ・プリンタ及び監視制御システムを提供することを目的とする。
【課題を解決するための手段】
【００１２】
上述の目的を達成するため、本発明の実施形態に係るログ印刷フィルタ装置は、イベント情報を受信する受信部と、受信した前記イベント情報を保存するデータバッファ部と、ログ印刷フィルタ条件を取得するログ印刷フィルタ条件取得部と、前記データバッファ部に保存された前記イベント情報と取得した前記ログ印刷フィルタ条件とを比較し、所定の論理演算処理を行う比較演算部と、前記演算処理結果に基づいてログ印刷データを整形するログ印刷データ整形部と、整形した前記ログ印刷データを送信する送信部と、を備える。
【００１３】
また、前記ログ印刷フィルタ装置と同様の機能を奏するログ印刷フィルタ機能部を実装した制御装置やログ・プリンタも本発明の実施形態の１つである。さらに、前記ログ印刷フィルタ装置、前記制御装置又は前記ログ・プリンタを有する監視制御システムも本発明の実施形態の１つである。
【図面の簡単な説明】
【００１４】
【図１】本発明の第１の実施形態に係る変電所監視システムの全体構成を示す概略図である。
【図２】第１の実施形態に係るログ印刷フィルタ装置の外形を示す斜視図である。
【図３】ログ印刷フィルタ条件の設定例を示す図である。
【図４】複数のフィルタ条件項目を組み合わせたログ印刷フィルタ条件例の論理的な構成を示す図である。
【図５】最終的な印刷対象を決定する手順を説明する図である。
【図６】第１の実施形態におけるオペレータ・ワークステーションのイベントリスト画面の一例を示す図である。
【図７】第１の実施形態におけるログ印刷結果の一例を示す図である。
【図８】第１の実施形態に係るログ印刷フィルタ装置の詳細な構成を示すブロック図である。
【図９】第１の実施形態におけるログ印刷フィルタリング手順を示すフローチャートである。
【図１０】本発明の第２の実施形態に係る変電所監視システムの全体構成を示す概略図である。
【図１１】第２の実施形態に係るログ印刷フィルタ装置の外形を示す斜視図である。
【図１２】第２の実施形態に係るログ印刷フィルタ装置の詳細な構成を示すブロック図である。
【図１３】第２の実施形態におけるログ印刷フィルタリング手順を示すフローチャートである。
【図１４】ログ印刷フィルタ機能の設定可能な範囲を示す概略図である。
【図１５】本発明の第３の実施形態に係る変電所監視システムの全体構成を示す概略図である。
【図１６】第３の実施形態に係るログ印刷フィルタ機能部の詳細な構成を示すブロック図である。
【図１７】第３の実施形態におけるログ印刷フィルタリング手順を示すフローチャートである。
【図１８】本発明の第４の実施形態に係る変電所監視システムの全体構成を示す概略図である。
【図１９】第４の実施形態に係るログ印刷フィルタ機能部の詳細な構成を示すブロック図である。
【図２０】第４の実施形態におけるログ印刷フィルタリング手順を示すフローチャートである。
【図２１】従来の変電所監視制御システムの構成を示す概略図である。
【図２２】従来の変電所監視制御システムにおけるオペレータ・ワークステーションのイベントリスト画面の一例を示す図である。
【図２３】従来の変電所監視制御システムのログ印刷結果の一例を示す図である。
【発明を実施するための形態】
【００１５】
［第１の実施形態］
本発明の第１の実施形態について図１〜図９を用いて説明する。
（全体構成）
図１は、本発明の第１の実施形態に係る変電所監視システムの全体構成を示すものである。本変電所監視制御システムは、図２１に示した従来例の変電所監視システムと同様に、ＧＰＳクロック１１、オペレータ・ワークステーション１２、ログ・プリンタ１３’、制御装置１４’及びＩＥＤ(Intelligent Electronics Device)２１ａ，２１ｂ・・・２１ｎ、２２ａ，２２ｂ・・・２２ｎを備えており、ＥＳＷ（Ethernet Switch）１５〜１７及び通信メディア１８を介して相互にデータ通信が行われるようになっている。
【００１６】
本変電所監視制御システムにおいては、ログ・プリンタ１３’とＥＳＷ１５の間のネットワークに、ログ印刷フィルタ装置２０を設けている。
【００１７】
図２は、ログ印刷フィルタ装置２０の外形を示す斜視図である。ログ印刷フィルタ装置２０は、受信用ネットワークインターフェース２０ａと送信用ネットワークインターフェース２０ｃの２つネットワークインターフェースを実装している。受信ネットワークインターフェース２０ａは、ＥＳＷ１５側のネットワークに接続され、送信ネットワークインターフェース２０ｃは、ログ・プリンタ１３’側に接続される。また、装置設定やログ印刷フィルタ条件等の入力は、入力画面２０ｂにて行われる。
【００１８】
本システムにおいては、ログ印刷フィルタ条件等を操作員が入力することにより、ログ印刷フィルタ装置２０によって印刷対象となるイベントをフィルタリングする。以下、ログ印刷フィルタ装置２０を用いたフィルタリング方法について説明する。
【００１９】
（ログ印刷フィルタ条件）
まず、操作員が設定するログ印刷フィルタ条件について説明する。ログ印刷フィルタ条件は、例えば、イベントレベル、回線名、装置名、特定文字・文書、状態、電圧レベル、試験中フラグ有無と、その組合せで設定することが可能である。
【００２０】
図３は、ログ印刷フィルタ条件の設定例を示す図である。
ログ印刷フィルタ条件設定５１において、フィルタ条件項目５２を定義するには、「 [ 」で開き、フィルタ条件タグを続け、このフィルタ条件タグの後ろに「 : 」を付けてそこからフィルタ条件値を記載し、最後に「 ] 」で閉じる。この設定例では、イベントレベルを「Ｌｖ」５ａ、回線名を「Ｂａｙ」５ｂ、装置名を「Ｄｅｖ」５ｃ、特定文字・文書を「Ｔｅｘｔ」５ｄ、状態を「Ｓｔｓ」５ｅ、電圧レベルを「Ｋｖ」５ｆ、試験中イベントフラグ有無を「Ｔｅｓｔ」５ｇとして表現している。
【００２１】
ログ印刷フィルタ条件は、図３のログ印刷フィルタ条件例５１ａに示すように、一つ以上のフィルタ条件項目を組み合わせることができる。複数フィルタ条件項目の組み合わせには論理演算記号「 ( ) 」、論理積「 * 」、論理和「 + 」、論理否定「 ! 」を用いて定義することができる。
【００２２】
図４は、図３における複数のフィルタ条件項目を組み合わせたログ印刷フィルタ条件例５１ａの論理的な構成を示す図である。
図４のログ印刷フィルタ条件においては、４つフィルタ条件項目６１〜６４があり、「 ( ) 」利用して２つの区分６５、６６についての論理演算がログ印刷フィルタ装置２０において行われる。区分６５においては、イベントレベルを確認するための論理演算であり、区分６６においては回線名を確認するための論理演算である。そして、ログ印刷フィルタ装置２０において区分６５と区分６６の論理積が演算され、ログ印刷フィルタ条件例５１ａの論理演算処理となる。また、図３に示すように、ログ印刷フィルタ条件例５１ａと同様に、他のログ印刷フィルタ条件例５１ｂ、５１ｃを登録することも可能である。
【００２３】
次に、図５に示すように、それぞれ登録されたフィルタ条件７１と、論理和演算７２とで構成された最終論理演算結果７３により、イベントがフィルタリングされる。最終論理演算結果７３が「真」であれば、そのイベントがログ印刷対象とし、「偽」の場合は、ログ印刷対象外とする。
【００２４】
例えば、図６のイベントリスト画面２９に記載されたイベント２９ｂを、図３に示されるログ印刷フィルタ条件設定例を用いてフィルタリングすると、そのイベント２９ｂは、「Ｄ０３」回線から発生され、イベントレベルが「１」であるため、図５に示す各フィルタ条件の論理演算処理５１ａ、５１ｂ、５１ｃは「真、偽、偽」となる。このため、図５に示す最終論理演算結果７３は「真」となり、図６のイベント２９ｂはログ印刷対象となる。
【００２５】
一方で、図６のイベントリスト画面２９に記載されたイベント２９ａの場合は、全て図５にリストされたフィルタ条件を満たせておらず、図５に示す最終論理演算結果７３が「偽」となるので、図６の２９ａイベント例はログ印刷対象外となる。図６に記載されたイベントリスト画面２９に対し、図３に定義したフィルタ条件設定５１でログ印刷フィルタ装置を実施すると、図１に示すログ・プリンタ用紙１３ａに印刷する内容は、図７の通りとなる。
【００２６】
ログ印刷に記載される情報の内容は、図７に示すイベントレベル３１、試験最中マーク有無３２、品質マーク３３、タイムスタンプ３４、電圧レベル３５、回線名３６、イベントテキスト３７、状態３８である。仮に、ログ印刷フィルタ条件が設定されていない場合は、全てのイベントが図２のログ・プリンタ１３’にて印刷されることになる。
【００２７】
このように、ログ印刷フィルタ装置２０を用いることにより、印刷対象とするイベントをフィルタリングした結果のみがログ・プリンタ１３’にログ印刷される。以下、ログ印刷フィルタ装置２０のさらに詳細な構成とログ印刷フィルタリング手順について説明する。
【００２８】
（ログ印刷フィルタ装置２０の構成）
図８に、ログ印刷フィルタ装置２０の詳細な構成を示す。
ログ印刷フィルタ装置２０は、制御装置１４’から送信したイベント情報等を受信する受信部２３と、受信したイベント情報等を保存するデータバッファ部２４と、入力画面２０ｂから入力されたログ印刷フィルタ条件を取得するログ印刷フィルタ条件取得部２５と、データバッファ部２４に保存されたイベント情報と取得したログ印刷フィルタ条件とを比較し、所定の論理演算処理を行う比較演算部２６と、演算結果に基づいてログ印刷データを整形するログ印刷データ整形部２７と、ログ印刷データを送信する送信部２８とを備えている。なお、受信部２３は、図２における受信用ネットワークインターフェース２０ａに該当し、送信部２８は、図２における送信用ネットワークインターフェース２０ｃに該当する。
【００２９】
（ログ印刷フィルタリング手順）
図９は、本実施形態におけるログ印刷フィルタリング手順を示すフローチャートである。
まず、図１の制御装置１４’においてイベントを検出したときに、図９に示すフローが開始される。制御装置１４’においてイベントを検出後、イベント情報の初期化を行う（ステップＳ１１）。次に、イベント情報の内容に対して、制御装置１４’からログ印刷フィルタ装置２０を経由してログ・プリンタ１３’へ印刷指令及び印刷データの送信が行われる（ステップＳ１２）。
【００３０】
ログ印刷フィルタ装置２０では、受信ネットワークインターフェース２０ａ（受信部２３）が制御装置１４’から送信されたネットワークデータを受信する（ステップＳ１３）。受信したネットワークデータの中からログ印刷指令及び印刷データを検出し（ステップＳ１４）、検出したログ印刷データをデータバッファ部２４に保存する（ステップＳ１５）。
【００３１】
次に、ログ印刷フィルタ条件取得部２５は、設定されたログ印刷フィルタ条件を取得し（ステップＳ１６）、比較演算部２６が図３〜図５に説明した方法に沿って、データバッファ部２４に保存されたイベント情報と取得したログ印刷フィルタ条件を比較演算し、図５に示した論理演算処理を行う（ステップＳ１７）。この最終論理演算結果７３が「偽」の場合、発生したイベントがログ印刷対象外であるため（ステップＳ１８でＮｏ）、データバッファ部２４に保存されたイベント情報を削除し（ステップＳ１９）、発生したイベントに対するフィルタリングフローを終了する。
【００３２】
一方、論理演算処理７３が「真」の場合、発生したイベンがログ印刷対象となるため（ステップＳ１８でＹｅｓ）、ログ印刷データ整形部２７がイベント情報についてのログ印刷データの内容を整形する（ステップＳ２０）。送信ネットワークインターフェース２０ｃ（送信部２８）は、ログ印刷指令及び印刷データをログ・プリンタ１３’へ送信する（ステップＳ２１）。
【００３３】
ログ・プリンタ１３’では、監視制御システムのネットワークを介して印刷指令及びログ印刷データを受信し（ステップＳ２２）、そのログ印刷データを印刷する（ステップＳ２３）。
【００３４】
（効果）
従来においては、各発生したイベント情報を全て直接ログ・プリンタ１３’で出力処理していたため、ログ印刷用紙１３ａ’に印刷されるイベントは、図２３の通りに表示され、図２２に示すイベントリスト画面２９の内容と同様となる。
【００３５】
これに対して、本実施形態によれば、図７に示すように、印刷対象とするイベントをフィルタリングすることができるため、印刷必要とするログ情報だけをフィルタリングして印刷することが出来るようになる。このため、記録物としての有用性を大きく向上させるとともに、限られている印刷メディア、用紙等の補充回数の減少させることができる。
【００３６】
また、仮にログ・プリンタ１３’及び制御装置１４’内に上述したようなログ印刷フィルタ機能を適用するためにはハードウェア及びソフトウェアの対応が不可欠となるが、本実施形態によれば、従来のログ・プリンタ１３’及び制御装置１４’等の既存の監視制御システムをそのまま用いることが可能となる。
【００３７】
［第２の実施形態］
本発明の第２の実施形態について図１０〜図１３を用いて説明する。
（全体構成）
図１０は、本発明の第２の実施形態に係る変電所監視システムの全体構成を示すものである。本変電所監視制御システムは、図１に示した第１の実施形態の変電所監視システムと同様に、ＧＰＳクロック１１、オペレータ・ワークステーション１２、ログ・プリンタ１３’、制御装置１４’及びＩＥＤ（図示せず）を備えており、ＥＳＷ（１５のみ図示）及び通信メディア（図示せず）を介して相互にデータ通信が行われるようになっている。
【００３８】
本変電所監視制御システムにおいては、ログ・プリンタ１３’、制御装置１４’及びログ印刷フィルタ装置３０がそれぞれＥＳＷ１５と接続されている。
【００３９】
図１１は、ログ印刷フィルタ装置３０の外形を示す斜視図である。
ログ印刷フィルタ装置３０は、１つのネットワークインターフェース３０ａを実装している。このネットワークインターフェース３０ａをＥＳＷ１５に接続し、この部分からデータの受信及び送信を行う。装置設定やログ印刷フィルタ条件等の入力は、入力画面３０ｂにて行われる。ログ印刷フィルタ装置３０は、ネットワークのパケットデータのレベルでフィルタリングするため、図１０に示す制御装置１４’とＴＣＰ／ＩＰ通信プロトコルで通信を行う。
【００４０】
（ログ印刷フィルタ装置３０の構成）
図１２に、ログ印刷フィルタ装置３０の詳細な構成を示す。
ログ印刷フィルタ装置３０は、制御装置１４’から送信したイベント情報等を受信するとともに、ログ印刷データを送信する受送信部４３と、受信したイベント情報等を保存するデータバッファ部４４と、入力画面３０ｂから入力されたログ印刷フィルタ条件を取得するログ印刷フィルタ条件取得部４５と、データバッファ部４４に保存されたイベント情報と取得したログ印刷フィルタ条件とを比較し、所定の論理演算処理を行う比較演算部４６と、演算結果に基づいてログ印刷データを整形するログ印刷データ整形部４７とを備えている。なお、受送信部４３は、図１１におけるネットワークインターフェース３０ａに該当する。
【００４１】
（ログ印刷フィルタリング手順）
図１３は、本実施形態におけるログ印刷フィルタリング手順を示すフローチャートである。
まず、図１０の制御装置１４’においてイベントを検出したときに、図１３に示すフローが開始される。制御装置１４’においてイベントを検出後、イベント情報の初期化を行う（ステップＳ１１）。次に、イベント情報の内容に対して、制御装置１４’からログ印刷フィルタ装置３０へ印刷指令及び印刷データの送信が行われる（ステップＳ３１）。ここで、パケットデータの宛先は、ログ印刷フィルタ装置のＩＰアドレスである。
【００４２】
ログ印刷フィルタ装置３０では、ネットワークインターフェース３０ａ（受送信部４３）が制御装置１４’から送信されたネットワークデータを受信する（ステップＳ３２）。データバックアップ部４４は、ログ印刷指令及び印刷データを保存する（ステップＳ３３）。
【００４３】
次に、ログ印刷フィルタ条件取得部４５は、設定されたログ印刷フィルタ条件を取得し（ステップＳ１６）、比較演算部４６が図３〜図５に説明した方法に沿って、データバッファ部４４に保存されたイベント情報と取得したログ印刷フィルタ条件を比較演算し、図５に示した論理演算処理を行う（ステップＳ１７）。この最終論理演算結果７３が「偽」の場合、発生したイベントがログ印刷対象外であるため（ステップＳ１８でＮｏ）、データバッファ部４４に保存されたイベント情報を削除し（ステップＳ１９）、発生したイベントに対するフィルタリングフローを終了する。
【００４４】
一方、論理演算処理７３が「真」の場合、発生したイベンがログ印刷対象となるため（ステップＳ１８でＹｅｓ）、ログ印刷データ整形部４７がイベント情報についてのログ印刷データの内容を整形する（ステップＳ２０）。ネットワークインターフェース３０ａ（受送信部４３）は、図１０のログ・プリンタ１３’のＩＰアドレスをパケットデータの宛先とする印刷指令及び印刷データを生成し、ログ・プリンタ１３’に送信する（ステップＳ３４）。
【００４５】
ログ・プリンタ１３’では、監視制御システムのネットワークを介して印刷指令及びログ印刷データを受信し（ステップＳ２２）、そのログ印刷データを印刷する（ステップＳ２３）。
【００４６】
（効果）
本実施形態によれば、第１の実施形態と同様に、必要とするログ情報だけをフィルタリングして印刷することで記録物としての有用性を大きく向上させるとともに、限られている印刷メディア、用紙等の補充回数の減少させることができる。
【００４７】
また、仮にログ・プリンタ１３’及び制御装置１４’内に上述したようなログ印刷フィルタ機能を適用するためにはハードウェア及びソフトウェアの対応が不可欠となるが、本実施形態によれば、従来のログ・プリンタ１３’及び制御装置１４’等の既存の監視制御システムをそのまま用いることが可能となる。
【００４８】
［第３の実施形態］
上記第１及び第２の実施形態では、ログ・プリンタ１３’と制御装置１４’の間のネットワークにそれぞれログ印刷フィルタ装置２０，３０を設置した例を示した。しかし、ログ印刷フィルタ装置２０，３０におけるログ印刷フィルタ機能をログ・プリンタ１３’又は制御装置１４’の内部に実装することも可能である。
【００４９】
図１４は、ログ印刷フィルタ機能の設定可能な範囲を示す概略図である。
ログ印刷フィルタ機能の設定可能範囲７４は、３つの範囲７４ａ、７４ｂ、７４ｃに区別される。設置範囲７４ａでは、ログ・プリンタ１３’と制御装置１４’の間のネットワーク７５において、第１の実施形態及び第２の実施形態で示したように、独立した端末のログ印刷フィルタ装置として設置可能である。
【００５０】
これに対して、実装範囲７４ｂでは、ログ印刷フィルタ装置と同様の機能を奏するログ印刷フィルタ機能部を制御装置１４’内のログ印刷指令送信部５０に隣接して実装することができる。また、実装範囲７４ｃでは、ログ印刷フィルタ装置と同様の機能を奏するログ印刷フィルタ機能部をログ・プリンタ１３’内のログ印刷指令受信部８２に隣接して実装することができる。以下、第３の実施形態においてログ印刷フィルタ機能部を実装範囲７４ｂに実装した例、第４の実施形態においてログ印刷フィルタ機能部を実装範囲７４ｃに実装した例について具体的に説明する。
【００５１】
（全体構成）
図１５は、本発明の第３の実施形態に係る変電所監視システムの全体構成を示すものである。本変電所監視制御システムは、図１に示した第１の実施形態の変電所監視システムと同様に、ＧＰＳクロック１１、オペレータ・ワークステーション１２、ログ・プリンタ１３’、制御装置１４及びＩＥＤ２１ａ，２１ｂ・・・２１ｎ、２２ａ，２２ｂ・・・２２ｎを備えており、ＥＳＷ１５〜１７及び通信メディア１８を介して相互にデータ通信が行われるようになっている。
【００５２】
本実施形態においては、ログ印刷フィルタ条件等の入力は、オペレータ・ワークステーション１２において行われる。また、監視状態の変更、操作情報、異常情報等は、オペレータ・ワークステーション１２のＨＭＩ画面１２ａに表示される。さらに、発生したイベントは、変電所の物理的な記録物としてログ・プリンタ１３’にも印刷される。
【００５３】
（ログ印刷フィルタ機能部１９の構成）
また、本変電所監視制御システムにおいては、制御装置１４内にログ印刷フィルタ機能部１９が実装されている。
図１６に、第３の実施形態に係るログ印刷フィルタ機能部の詳細な構成を示す。
【００５４】
ログ印刷フィルタ機能部１９は、イベント情報等を受信する受信部５３と、受信したイベント情報等を保存するデータバッファ部５４と、入力画面から入力されたログ印刷フィルタ条件を取得するログ印刷フィルタ条件取得部５５と、データバッファ部５４に保存されたイベント情報と取得したログ印刷フィルタ条件とを比較し、所定の論理演算処理を行う比較演算部５６と、演算結果に基づいてログ印刷データを整形するログ印刷データ整形部５７と、ログ印刷データを送信する送信部５８とを備えている。なお、送信部５８は、図１４に示すログ印刷指令送信部５０に該当する。
【００５５】
（ログ印刷フィルタリング手順）
図１７は、本実施形態におけるログ印刷フィルタリング手順を示すフローチャートである。
まず、図１５の制御装置１４においてイベントを検出したときに、図１７に示すフローが開始される。制御装置１４においてイベントを検出後、イベント情報の初期化を行う（ステップＳ１１）。次に、ログ印刷フィルタ機能部１９の受信部５３にてそのイベント情報を受信し（ステップＳ４１）、データバッファ部５４に保存する（ステップＳ４２）。
【００５６】
次に、ログ印刷フィルタ条件取得部５５は、設定されたログ印刷フィルタ条件を取得し（ステップＳ１６）、比較演算部５６が図３〜図５に説明した方法に沿って、データバッファ部５４に保存されたイベント情報と取得したログ印刷フィルタ条件を比較演算し、図５に示した論理演算処理を行う（ステップＳ１７）。この最終論理演算結果７３が「偽」の場合、発生したイベントがログ印刷対象外であるため（ステップＳ１８でＮｏ）、データバッファ部５４に保存されたイベント情報を削除し（ステップＳ１９）、発生したイベントに対するフィルタリングフローを終了する。
【００５７】
一方、論理演算処理７３が「真」の場合、発生したイベンがログ印刷対象となるため（ステップＳ１８でＹｅｓ）、ログ印刷データ整形部５７がイベント情報についてのログ印刷データの内容を整形する（ステップＳ２０）。その後、送信部５８は、ログ印刷指令及び印刷データをログ・プリンタ１３’へ送信する（ステップＳ４３）。
【００５８】
ログ・プリンタ１３’では、監視制御システムのネットワークを介して印刷指令及びログ印刷データを受信し（ステップＳ２２）、そのログ印刷データを印刷する（ステップＳ２３）。
【００５９】
（効果）
本実施形態によれば、第１の実施形態と同様に、必要とするログ情報だけをフィルタリングして印刷することで記録物としての有用性を大きく向上させるとともに、限られている印刷メディア、用紙等の補充回数の減少させることができる。
【００６０】
［第４の実施形態］
（全体構成）
図１８は、本発明の第４の実施形態に係る変電所監視システムの全体構成を示すものである。本変電所監視制御システムは、図１に示した第１の実施形態の変電所監視システムと同様に、ＧＰＳクロック１１、オペレータ・ワークステーション１２、ログ・プリンタ１３、制御装置１４’及びＩＥＤ（図示せず）を備えており、ＥＳＷ（１５のみ図示）及び通信メディア（図示せず）を介して相互にデータ通信が行われるようになっている。
【００６１】
本実施形態においては、ログ印刷フィルタ条件等の入力は、オペレータ・ワークステーション１２において行われる。また、監視状態の変更、操作情報、異常情報等は、オペレータ・ワークステーション１２のＨＭＩ画面１２ａに表示される。さらに、発生したイベントは、変電所の物理的な記録物としてログ・プリンタ１３にも印刷される。
【００６２】
（ログ印刷フィルタ機能部４０の構成）
また、本変電所監視制御システムにおいては、ログ・プリンタ１３内にログ印刷フィルタ機能部４０が実装されている。
図１９に、第４の実施形態に係るログ印刷フィルタ機能部の詳細な構成を示す。
【００６３】
ログ印刷フィルタ機能部４０は、イベント情報等を受信する受信部８３と、受信したイベント情報等を保存するデータバッファ部８４と、入力画面から入力されたログ印刷フィルタ条件を取得するログ印刷フィルタ条件取得部８５と、データバッファ部８４に保存されたイベント情報と取得したログ印刷フィルタ条件とを比較し、所定の論理演算処理を行う比較演算部８６と、演算結果に基づいてログ印刷データを整形するログ印刷データ整形部８７と、ログ印刷データの印刷指令を発する指令部８８とを備えている。なお、受信部８３は、図１４に示すログ印刷指令受信部８２に該当する。
【００６４】
（ログ印刷フィルタリング手順）
図２０は、本実施形態におけるログ印刷フィルタリング手順を示すフローチャートである。
まず、図１８の制御装置１４’においてイベントを検出したときに、図２０に示すフローが開始される。制御装置１４’においてイベントを検出後、イベント情報の初期化を行う（ステップＳ１１）。次に、イベント情報の内容に対して、図１８の制御装置１４’からログ・プリンタ１３へ印刷指令及び印刷データを送信する（ステップＳ１２）。
【００６５】
ログ・プリンタ１３では、制御装置１４’から送信されたログ印刷指令及び印刷データを受信し（ステップＳ５１）、その情報をログ印刷フィルタ機能部４０にあるデータバッファ部８４に保存する（ステップＳ５２）。
【００６６】
次に、ログ印刷フィルタ条件取得部８５は、設定されたログ印刷フィルタ条件を取得し（ステップＳ１６）、比較演算部８６が図３〜図５に説明した方法に沿って、データバッファ部８４に保存されたイベント情報と取得したログ印刷フィルタ条件を比較演算し、図５に示した論理演算処理を行う（ステップＳ１７）。この最終論理演算結果７３が「偽」の場合、発生したイベントがログ印刷対象外であるため（ステップＳ１８でＮｏ）、データバッファ部８４に保存されたイベント情報を削除し（ステップＳ１９）、発生したイベントに対するフィルタリングフローを終了する。
【００６７】
一方、論理演算処理７３が「真」の場合、発生したイベンがログ印刷対象となるため（ステップＳ１８でＹｅｓ）、ログ印刷データ整形部８７がイベント情報に対してログ印刷データの内容整形する（ステップＳ２０）。その後、指令部８８は、ログ・プリンタ１３に対してログ印刷指令を発し、印刷データ処理を行う（ステップＳ５３）。
【００６８】
ログ・プリンタ１３では、上記ログ印刷指令に基づき、そのログ印刷データを印刷する（ステップＳ２３）。
【００６９】
（効果）
本実施形態によれば、第１の実施形態と同様に、必要とするログ情報だけをフィルタリングして印刷することで記録物としての有用性を大きく向上させるとともに、限られている印刷メディア、用紙等の補充回数の減少させることができる。
【００７０】
[他の実施形態]
（１）図２では、送信ネットワークインターフェース２０ｃを受信ネットワークインターフェース２０ａとは反対側に設けたが、同じ側に設けることもできる。
【００７１】
（２）第３の実施形態において、ログ印刷フィルタ機能部１９の送信部５８（図１６）を制御装置１４’のログ印刷指令送信部５０（図１４）と共通する構成としたが、ログ印刷指令送信部５０とは独立させて送信部５８を設けることもできる。
【００７２】
（３）第４の実施形態において、ログ印刷フィルタ機能部４０の受信部８３（図１９）をログ・プリンタ１３’のログ印刷指令受信部８２（図１４）と共通する構成としたが、ログ印刷指令受信部８２とは独立させて受信部８３を設けることもできる。
【００７３】
（４）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７４】
１１…ＧＰＳクロック
１２…オペレータ・ワークステーション
１２ａ…ＨＭＩ画面
１３，１３’…ログ・プリンタ
１３ａ，１３ａ’…ログ印刷用紙
１４，１４’…制御装置
１５，１６，１７…イーサネットスイッチ
１８…通信メディア
１９…ログ印刷フィルタ機能部
２０…ログ印刷フィルタ装置
２０ａ…受信用ネットワークインターフェース
２０ｂ…入力画面
２０ｃ…送信用ネットワークインターフェース
２１ａ，２１ｂ，・・・２１ｎ…ＩＥＤ
２２ａ，２２ｂ，・・・２２ｎ…ＩＥＤ
２３…受信部
２４…データバッファ部
２５…ログ印刷フィルタ条件取得部
２６…比較演算部
２７…ログ印刷データ整形部
２８…送信部
２９…イベントリスト画面
２９ａ，２９ｂ…イベント
３０…ログ印刷フィルタ装置
３０ａ…ネットワークインターフェース
３０ｂ…入力画面
４０…ログ印刷フィルタ機能部
４３…受送信部
４４…データバッファ部
４５…ログ印刷フィルタ条件取得部
４６…比較演算部
４７…ログ印刷データ整形部
５０…ログ印刷指令送信部
５３…受信部
５４…データバッファ部
５５…ログ印刷フィルタ条件取得部
５６…比較演算部
５７…ログ印刷データ整形部
５８…送信部
７５…ネットワーク
８２…ログ印刷指令受信部
８３…受信部
８４…データバッファ部
８５…ログ印刷フィルタ条件取得部
８６…比較演算部
８７…ログ印刷データ整形部
８８…指令部
【図１】
2015033148.tif 000003
【図２】
2015033148.tif 000004
【図３】
2015033148.tif 000005
【図４】
2015033148.tif 000006
【図５】
2015033148.tif 000007
【図６】
2015033148.tif 000008
【図７】
2015033148.tif 000009
【図８】
2015033148.tif 000010
【図９】
2015033148.tif 000011
【図１０】
2015033148.tif 000012
【図１１】
2015033148.tif 000013
【図１２】
2015033148.tif 000014
【図１３】
2015033148.tif 000015
【図１４】
2015033148.tif 000016
【図１５】
2015033148.tif 000017
【図１６】
2015033148.tif 000018
【図１７】
2015033148.tif 000019
【図１８】
2015033148.tif 000020
【図１９】
2015033148.tif 000021
【図２０】
2015033148.tif 000022
【図２１】
2015033148.tif 000023
【図２２】
2015033148.tif 000024
【図２３】
2015033148.tif 000025